(57)【要約】【課題】従来は、尻側の係合突起を尻側端部より頭側内方に孤立して設け、頭側受け部をアンダーラップの裏面より突出する構成とし、係合突起の高さを低くし、成形の簡便化、耐風平板瓦の欠損防止を図る。しかし本発明は、尻側の係合突起が、尻側の係合突起が尻側端部より頭側内方に瓦本体に孤立する構成であるので、係止突起が、葺設時、搬送時、地震時等における外的な衝撃で折損、破壊、等する可能性があり、その耐衝撃性に改良すべき問題を抱えている。【構成】本発明は、千鳥葺き用のアンダーラップを備えた平板瓦の瓦本体を、センター膨出瓦部と、各フラット瓦部と、半截膨出瓦部とで構成し、センター膨出瓦部の尻側端部に尻側係止片（尻側係止受入れ片）を、またアンダーラップの頭側隅角部に段付形状の頭側係止片（頭係止差込み片）を形成した耐震・耐風機能を備えた千鳥葺き用の平板瓦である。【選択図】図１
2008101376.tif 000002
【特許請求の範囲】
【請求項１】
耐震・耐風機能を備えた千鳥葺き用の平板瓦の瓦本体を、略センターを山形形状に膨出したセンター膨出瓦部と、このセンター膨出瓦部の両側にフラットに形成した各フラット瓦部と、この各フラット瓦部に隣接し、かつ半截山形形状に膨出した半截膨出瓦部とで構成し、
また該瓦本体の一方側の半截膨出瓦部に隣接してアンダーラップを設け、また該瓦本体の他方側の半截膨出瓦部は、オーバーラップとしての役割を備え、
さらに前記瓦本体の尻側端部の表面に水返し突条を、またその裏面に引掛けをそれぞれ設け、
前記センター膨出瓦部の尻側端部に角錐形状の尻側係止片（尻側係止受入れ片）を、また前記アンダーラップの頭側隅角部に段付形状の頭側係止片（頭係止差込み片）を形成したことを特徴とする耐震・耐風機能を備えた千鳥葺き用の平板瓦。
【請求項２】
請求項１に記載の耐震・耐風機能を備えた千鳥葺き用の平板瓦であって、このセンター膨出瓦部の尻側端部に形成した角錐形状の尻側係止片に、隣接して棟側に千鳥葺きされた他の千鳥葺き用の平板瓦のアンダーラップの頭側隅角部に形成した段付形状の頭側係止片を差込み可能としたことを特徴とする耐震・耐風機能を備えた千鳥葺き用の平板瓦。
【請求項３】
請求項１に記載の耐震・耐風機能を備えた千鳥葺き用の平板瓦であって、このセンター膨出瓦部の尻側端部に形成した尻側係止片の表面の平坦面と、前記センター膨出瓦部の表面の平坦面とを略面一とする構成としたことを特徴とする耐震・耐風機能を備えた千鳥葺き用の平板瓦。
【請求項４】
請求項１に記載の耐震・耐風機能を備えた千鳥葺き用の平板瓦であって、このセンター膨出瓦部及び／又は半截膨出瓦部の尻側端部と、瓦本体の尻側端部の表面に設けた水返し突条との間を、平坦部本体とし、この平坦部本体は、この平板瓦の葺き合せ寸法とする構成としたことを特徴とする耐震・耐風機能を備えた千鳥葺き用の平板瓦。
【請求項５】
請求項１に記載の耐震・耐風機能を備えた千鳥葺き用の平板瓦であって、この千鳥葺き用の平板瓦に設けたセンター膨出瓦部の尻側端部に角錐形状の尻側係止片を、またこのアンダーラップの頭側隅角部に段付形状の頭側係止片を形成した構成であって、
この尻側係止片の裏面を傾斜面とし、この傾斜面は、先端部（開放側）より基部（センター膨出瓦部との連結部）に向って下がりテーパーに形成し、
また前記段付形状の頭側係止片の表面を傾斜面とし、この傾斜面は、段付端面（頭側端部）のやや内方より段付面に向って上がりテーパーに形成したことを特徴とする耐震・耐風機能を備えた千鳥葺き用の平板瓦。
【発明の詳細な説明】
【技術分野】
【０００１】
本発明は、地震、台風時において、平板瓦のズレと、飛散を有効に防止できる耐震・耐風機能を備えた千鳥葺き用の平板瓦に関する。
【背景技術】
【０００２】
文献（１）は、特開２００３−０３５０１１の「耐風平板瓦」であり、その要旨は、尻側の係合突起を尻側端部より頭側内方に孤立して設け、頭側受け部をアンダーラップの裏面より突出する構成とし、この係合突起の高さを低く抑えて、成形の簡便化、耐風平板瓦の欠損防止を図ることを意図する。しかし、この文献（１）は、尻側の係合突起が、尻側の係合突起を尻側端部より頭側内方に瓦本体に孤立して突設する構成であり、この係止突起が、葺設時、搬送時、結束時、地震時等における外的な衝撃（衝突、押圧等）で折損（欠損）、破壊、等する可能性があり、その耐衝撃性に改良すべき問題を抱えている。そして、仮に折損等した場合には、葺設時の特徴、又は意図する取扱いの容易化等の特徴が発揮できないこと、無駄となること等の課題が発生する問題がある。
【０００３】
また文献（２）は、特開２００２−０２１２５６の「棧瓦」であり、その要旨は、下段瓦の尻側に受けた突起部を、フランジ（アンダーラップ）の頭側端部に衝止し、また瓦本体とフランジとの段差面であって、その頭側端部に設けた凸部を、この瓦本体のオーバーラップの頭側端部に設けた凹部に係入する構成であり、所謂、この下段瓦の頭側の隅角部の二面に衝止され、かつ上段瓦の頭側とアンダーラップの二方向の移動を規制し、浮上り及び／又はズレ防止を確実に図ること、施工の容易化と、時間の短縮化を図ること等を意図する。しかし、この文献（２）は、尻側突起部に係合手段がなく、斜め上下に葺き設する瓦相互間の連繋を意図しないので、耐震・耐風機能を備えた棧瓦とは考えられない。
【０００４】
また文献（３）は、特開２００４−２４４８２９の「耐風瓦およびその葺き上げ方法」であり、その要旨は、平板部にアンダーラップと、オーバーラップを備えた耐風瓦（瓦）であって、この瓦の尻側端部の裏面は引掛けを、またその表面に鉤状突起部をそれぞれ設け、前記オーバーラップの頭側の裏面に係合差込部を形成し、この瓦を千鳥葺した際に、前記鉤状突起部を係合差込部に係止する構成とし、耐震・耐風機能を備えた千鳥葺き用の耐風瓦を提供することを意図する。しかし、この文献（３）は、瓦の表面の鉤状突起部に、オーバーラップの裏面の係合差込部を差込む構成であり、瓦の裏面に設けた係合差込部を探しながら、部の表面に鉤状突起部を差込む作業は、大変であり、かつその葺設時間を要する（葺設に手間と要する）。
【０００５】
【特許文献１】特開２００３−０３５０１１
【特許文献２】特開２００２−０２１２５６
【特許文献３】特開２００４−２４４８２９
【発明の開示】
【発明が解決しようとする課題】
【０００６】
前述した如く、文献（１）〜文献（３）は、それぞれ前述した構成を採用することから、その意図する特徴は達成できるが、一義的な内容に留まる。従って、前述した課題を抱えている。
【０００７】
上記に鑑み、本発明は、下記の特徴を達成することを意図する。
「１」  平板瓦の表面（流表面）に山形形状の一条〜数条の膨出瓦部（膨出帯形状）を有するタイプにおいては、尻側係止片を、センター膨出瓦部の尻側端部から延設して形成する構成とし、この尻側係止片及び／又はセンター膨出瓦部等の耐衝撃性の向上を図る。
「２」  頭側係止片の裏面を、アンダーラップ裏面より一段下げて形成すれば、尻側係止片の突出寸法を低く成形できること、葺設時の差込の容易化、また結束等の積層時の上側の平板瓦との干渉回避を図ること、又は尻側係止片を肉厚に形成することが可能となり、破損回避等を図ること等を意図する。
「３」  尻側係止片の裏面を、下がりテーパー形状の傾斜面に、また頭側係止片の表面を、上がりテーパー形状の傾斜面にする構成であり、頭側係止片の差込み作業の容易化、屋根葺き時間の短縮化等を図ること、また平板瓦の型抜きの容易化に寄与すること等を意図する。
「４」  平板瓦の表面にセンター膨出瓦部を山形形状に膨出し、また半截膨出瓦部を半截山形形状に膨出し、さらに尻側係止片を角錐形状に突出した構成であって、この平板瓦を全体視した場合に、多数の傾斜面を備えた（多面体の）平板瓦を形成し、この多面体がもつ美的な特性と、反射特性を発揮できる構成を提供する。
「５」  頭側係止片の裏面を、瓦本体の裏面と、略面一に形成することで、軒先の瓦座に、均一に設置できるので、軒先において、その瓦座等の下地基材に安定した姿勢で載置し、適正な瓦勾配と、整然とした軒先の葺設が可能な平板瓦を提供する。
【課題を解決するための手段】
【０００８】
請求項１の発明は、前述の「１」、「２」、「４」の特徴を発揮できる平板瓦を提供することを意図する。
【０００９】
請求項１は、耐震・耐風機能を備えた千鳥葺き用の平板瓦の瓦本体を、略センターを山形形状に膨出したセンター膨出瓦部と、このセンター膨出瓦部の両側にフラットに形成した各フラット瓦部と、この各フラット瓦部に隣接し、かつ半截山形形状に膨出した半截膨出瓦部とで構成し、
また該瓦本体の一方側の半截膨出瓦部に隣接してアンダーラップを設け、また該瓦本体の他方側の半截膨出瓦部は、オーバーラップとしての役割を備え、
さらに前記瓦本体の尻側端部の表面に水返し突条を、またその裏面に引掛けをそれぞれ設け、
前記センター膨出瓦部の尻側端部に角錐形状の尻側係止片（尻側係止受入れ片）を、また前記アンダーラップの頭側隅角部に段付形状の頭側係止片（頭係止差込み片）を形成したことを特徴とする耐震・耐風機能を備えた千鳥葺き用の平板瓦である。
【００１０】
請求項２の発明は、請求項１の目的を達成すること、この目的を達成するのに最適な尻側・頭側係止片を提供することを意図する。
【００１１】
請求項２は、請求項１に記載の耐震・耐風機能を備えた千鳥葺き用の平板瓦であって、このセンター膨出瓦部の尻側端部に形成した角錐形状の尻側係止片に、隣接して棟側に千鳥葺きされた他の千鳥葺き用の平板瓦のアンダーラップの頭側隅角部に形成した段付形状の頭側係止片を差込み可能としたことを特徴とする耐震・耐風機能を備えた千鳥葺き用の平板瓦である。
【００１２】
請求項３の発明は、請求項１の目的を達成すること、この目的を達成するのに最適な尻側係止片を提供することを意図する。
【００１３】
請求項３は、請求項１に記載の耐震・耐風機能を備えた千鳥葺き用の平板瓦であって、このセンター膨出瓦部の尻側端部に形成した尻側係止片の表面の平坦面と、前記センター膨出瓦部の表面の平坦面とを略面一とする構成としたことを特徴とする耐震・耐風機能を備えた千鳥葺き用の平板瓦である。
【００１４】
請求項４の発明は、請求項１の目的を達成すること、この目的を達成するのに最適な平板瓦本体の構造を提供することを意図する。
【００１５】
請求項４は、請求項１に記載の耐震・耐風機能を備えた千鳥葺き用の平板瓦であって、このセンター膨出瓦部及び／又は半截膨出瓦部の尻側端部と、瓦本体の尻側端部の表面に設けた水返し突条との間を、平坦部本体とし、この平坦部本体は、この平板瓦の葺き合せ寸法とする構成としたことを特徴とする耐震・耐風機能を備えた千鳥葺き用の平板瓦である。
【００１６】
請求項５の発明は、前述の「３」の特徴を発揮できる平板瓦を提供することを意図する。
【００１７】
請求項５は、請求項１に記載の耐震・耐風機能を備えた千鳥葺き用の平板瓦であって、この千鳥葺き用の平板瓦に設けたセンター膨出瓦部の尻側端部に角錐形状の尻側係止片を、またこのアンダーラップの頭側隅角部に段付形状の頭側係止片を形成した構成であって、
この尻側係止片の裏面を傾斜面とし、この傾斜面は、先端部（開放側）より基部（センター膨出瓦部との連結部）に向って下がりテーパーに形成し、
また前記段付形状の頭側係止片の表面を傾斜面とし、この傾斜面は、段付端面（頭側端部）のやや内方より段付面に向って上がりテーパーに形成したことを特徴とする耐震・耐風機能を備えた千鳥葺き用の平板瓦である。
【発明の効果】
【００１８】
請求項１の発明は、耐震・耐風機能を備えた千鳥葺き用の平板瓦の瓦本体を、略センターを山形形状に膨出したセンター膨出瓦部と、センター膨出瓦部の両側にフラットに形成した各フラット瓦部と、各フラット瓦部に隣接し、かつ半截山形形状に膨出した半截膨出瓦部とで構成し、
また瓦本体の一方側の半截膨出瓦部に隣接してアンダーラップを設け、また瓦本体の他方側の半截膨出瓦部は、オーバーラップとしての役割を備え、
さらに瓦本体の尻側端部の表面に水返し突条を、また裏面に引掛けをそれぞれ設け、
センター膨出瓦部の尻側端部に角錐形状の尻側係止片（尻側係止受入れ片）を、またアンダーラップの頭側隅角部に段付形状の頭側係止片（頭係止差込み片）を形成した耐震・耐風機能を備えた千鳥葺き用の平板瓦である。
【００１９】
従って、請求項１は、下記の特徴がある。
「１」  平板瓦の表面（流表面）に山形形状の一条〜数条の膨出瓦部（膨出帯形状）を有するタイプにおいては、尻側係止片を、センター膨出瓦部の尻側端部から延設して形成する構成とし、この尻側係止片及び／又はセンター膨出瓦部等の耐衝撃性の向上が図れる。
「２」  頭側係止片の裏面を、アンダーラップ裏面より一段下げて形成すれば、尻側係止片の突出寸法を低く成形できること、葺設時の差込の容易化、また結束等の積層時の上側の平板瓦との干渉回避が図れること、又は尻側係止片を肉厚に形成することが可能となり、破損回避等が図れる。
「４」  平板瓦の表面にセンター膨出瓦部を山形形状に膨出し、また半截膨出瓦部を半截山形形状に膨出し、さらに尻側係止片を角錐形状に突出した構成であって、この平板瓦を全体視した場合に、多数の傾斜面を備えた（多面体の）平板瓦を形成し、この多面体がもつ美的な特性と、反射特性を発揮できる。
【００２０】
請求項２の発明は、請求項１に記載の耐震・耐風機能を備えた千鳥葺き用の平板瓦であって、センター膨出瓦部の尻側端部に形成した角錐形状の尻側係止片に、隣接して棟側に千鳥葺きされた他の千鳥葺き用の平板瓦のアンダーラップの頭側隅角部に形成した段付形状の頭側係止片を差込み可能とした耐震・耐風機能を備えた千鳥葺き用の平板瓦である。
【００２１】
従って、請求項２は、請求項１の目的を達成できること、この目的を達成するのに最適な尻側・頭側係止片を提供できること等の特徴を有する。
【００２２】
請求項３の発明は、請求項１に記載の耐震・耐風機能を備えた千鳥葺き用の平板瓦であって、センター膨出瓦部の尻側端部に形成した尻側係止片の表面の平坦面と、センター膨出瓦部の表面の平坦面とを略面一とする構成とした耐震・耐風機能を備えた千鳥葺き用の平板瓦である。
【００２３】
従って、請求項３は、請求項１の目的を達成できること、この目的を達成するのに最適な尻側係止片を提供できること等の特徴を有する。
【００２４】
請求項４の発明は、請求項１に記載の耐震・耐風機能を備えた千鳥葺き用の平板瓦であって、センター膨出瓦部及び／又は半截膨出瓦部の尻側端部と、瓦本体の尻側端部の表面に設けた水返し突条との間を、平坦部本体とし、平坦部本体は、平板瓦の葺き合せ寸法とする構成とした耐震・耐風機能を備えた千鳥葺き用の平板瓦である。
【００２５】
従って、請求項４は、請求項１の目的を達成できること、この目的を達成するのに最適な平板瓦本体の構造を提供できること等の特徴を有する。
【００２６】
請求項５の発明は、請求項１に記載の耐震・耐風機能を備えた千鳥葺き用の平板瓦であって、千鳥葺き用の平板瓦に設けたセンター膨出瓦部の尻側端部に角錐形状の尻側係止片を、またアンダーラップの頭側隅角部に段付形状の頭側係止片を形成した構成であって、
尻側係止片の裏面を傾斜面とし、傾斜面は、先端部（開放側）より基部（センター膨出瓦部との連結部）に向って下がりテーパーに形成し、
また段付形状の頭側係止片の表面を傾斜面とし、傾斜面は、段付端面（頭側端部）のやや内方より段付面に向って上がりテーパーに形成した耐震・耐風機能を備えた千鳥葺き用の平板瓦である。
【００２７】
従って、請求項５は、下記の特徴がある。
「３」  尻側係止片の裏面を、下がりテーパー形状の傾斜面に、また頭側係止片の表面を、上がりテーパー形状の傾斜面にする構成であり、頭側係止片の差込み作業の容易化、屋根葺き時間の短縮化等が図れる。また平板瓦の型抜きの容易化に寄与できる。
【発明を実施するための最良の形態】
【００２８】
本発明の一例を説明する。
【００２９】
図面の説明をすると、図１は平板瓦の一例を示した平面図、図２は図１に示した平板瓦の背面図、図３は図１に示した平板瓦の正面図、図４は図１に示した平板瓦の底面図、図５−１は図１に示した平板瓦の左側面図、図５−２は図５−１の要部（頭側係止片）の拡大模式図、図６は図１に示した平板瓦の右側面図、図７は図１に示した平板瓦の尻側係止片と、頭側係止片との係止関係を示した拡大斜視図、図８は図１に示した平板瓦の葺設状態を示した縮尺断面図、図９は図１に示した平板瓦の葺設状態を示した尻側から見た俯瞰図である。また図１０は平板瓦の他の一例を示した平面図、図１１は図１０に示した平板瓦の背面図、図１２は図１０に示した平板瓦の平面図、図１３は図１０に示した平板瓦の底面図、図１４−１は図１０に示した平板瓦の左側面図、図１４−２は図１４−１の要部（頭側係止片）の拡大模式図、図１５は図１０に示した平板瓦の右側面図、図１６は図１０に示した平板瓦の尻側係止片と、頭側係止片との係止関係を示した拡大斜視図、図１７は図１０に示した平板瓦の軒先からの葺設状態を示した縮尺断面図である。
【００３０】
図１〜図９に示した平板瓦の一例を説明すると、１は千鳥葺き用の平板瓦Ａの瓦本体で、この瓦本体１は、略センターを山形形状に膨出したセンター膨出瓦部２と、センター膨出瓦部２の両側にフラットに形成した各フラット瓦部３、３（以下、対の場合には、一方を表示する）と、各フラット瓦部３に隣接し、かつ半截山形形状に膨出した半截膨出瓦部４、５とで構成する。
【００３１】
またこの瓦本体１の一方側１ａの半截膨出瓦部５に隣接して水返し突条６ｂを有するアンダーラップ６を設ける。また瓦本体１の他方側１ｂの半截膨出瓦部４は、オーバーラップ４０としての役割を備える構成である。
【００３２】
さらに瓦本体１の尻側１００端部１００ａの表面１−１に水返し突条８を、またその裏面１−２に引掛け１０をそれぞれ設ける。
【００３３】
そして、前記センター膨出瓦部２の尻側端部２ａに角錐形状の尻側係止片１２（尻側係止受入れ片）を、またアンダーラップ６の頭側隅角部６ａに段付形状の頭側係止片１３（頭係止差込み片）を形成する構成である。この角錐形状の尻側係止片１２の裏面１２−１は傾斜面１２ａであり、この傾斜面１２ａは、先端部（開放側）より基部（センター膨出瓦部の連結部）に向って下がりテーパーに形成する。また段付形状の頭側係止片１３の表面１３−１を傾斜面１３ａとし、傾斜面１３ａは、段付端面（頭側端部）のやや内方（尻側１００に向った方向）より段付面に向って上がりテーパーに形状する。このテーパー形状の構造とすることで、葺設の容易化、製作の容易化、僅かであるが軽量化等に役立つものと考えられる（以下同じ）。さらにこの尻側係止片１２の表面１２−２の平坦面１２ｂと、センター膨出瓦部２の表面２−１の平坦面２ｂとを略面一とする。この面一の構造とすることで、葺設の容易化、製作の容易化、取扱いの容易化等に役立つものと考えられる（以下同じ）。
【００３４】
図中１０１は平板瓦１の頭側、１０２は平板瓦１の平坦部本体を示しており、この平坦部本体１０２は、瓦本体１のセンター膨出瓦部２及び／又は半截膨出瓦部４、５の尻側端部２ａと、この瓦本体１の尻側１００の端部１００ａの表面に設けた水返し突条８との間に形成される箇所を示す。
【００３５】
このような構成を採用する千鳥葺き用の平板瓦Ａの尻側係止片１２と、頭側係止片１３の係止関係を説明しながら、図７、図８を参照し、その葺設状態を説明する。屋根地Ｒに棧木Ｃを介して下段の平板瓦Ａを葺設する。この下段の平板瓦Ａに対して、上段の平板瓦Ａ１を葺設する時に、この下段の平板瓦Ａの尻側係止片１２に上段の平板瓦Ａ１の頭側係止片１３を差込む。そして、この差込みの際に、尻側係止片１２の傾斜面１２ａと、頭側係止片１３の傾斜面１３ａとのスライド差込みで、この上段の平板瓦Ａ１を確実かつ簡易に葺設できる（千鳥葺きできる）。この葺設で、下段の平板瓦Ａの平坦部本体１０２の（オーバーラップ側）上に、上段の平板瓦Ａ１の頭側１０１が重ね葺きされるが、その重ね寸法（図９に矢印「Ｌ」で示す）は、頭側１０１から尻側１００に向った流れ方向の所定の長さとなる（重ね葺き寸法）。また上段の平板瓦Ａ１の頭側１０１が、下段の平板瓦Ａの半截膨出瓦部４の切欠き段部４ａに衝止される。
【００３６】
尚、別の上段の平板瓦Ａ２の場合は、この別の上段の平板瓦Ａ２の頭側１０１が、下段の平板瓦Ａのアンダーラップ側の上であって、この平坦部本体１０２の上に重ね葺きされるが、その重ね寸法（図９に矢印「Ｌ１」で示す）は、頭側１０１から尻側１００に向った流れ方向の所定の長さとなる（重ね葺き寸法）。そして、この別の上段の平板瓦Ａ２の頭側１０１は、下段の平板瓦Ａの半截膨出瓦部５の切欠き段部５ａに衝止される。また上段の平板瓦Ａ１と、別の上段の平板瓦Ａ２との葺合せは、上段の平板瓦Ａ１のアンダーラップ６に、別の上段の平板瓦Ａ２のオーバーラップ４０が被せ葺きされる。
【００３７】
また図１０〜図１７に示した他の平板瓦の一例を説明すると、この他の平板瓦ＡＡは、基本的には前述の平板瓦Ａと同じであり、その相違点を説明する。この例では、センター膨出瓦部２の尻側端部２ａに角錐形状の尻側係止片１２（尻側係止受入れ片）を、またアンダーラップ６の頭側隅角部６ａに段付形状の頭側係止片１３（頭係止差込み片）を形成する構成である。この角錐形状の尻側係止片１２の裏面１２−１は平坦面１２ｃであり、また段付形状の頭側係止片１３の表面１３−１を平坦面１３ｃとする。さらにこの尻側係止片１２の表面１２−２の平坦面１２ｂは、センター膨出瓦部２の表面２−１の平坦面２ｂより僅かに高くすることが望ましいが、必ずしも限定されない。尚、前記平坦面１２ｃ、１３ｃは、前述の例の如く、傾斜面１２ａ、１３ａの場合もあり得る。
【００３８】
そして、この他の平板瓦ＡＡの葺設は、前述の例に準ず。この例の如く、頭側係止片１３の裏面１３−２が、アンダーラップ６の裏面１０３と面一になることは、軒先Ｂの瓦座Ｂ１に、均一に設置できるので、軒先Ｂにおいて、その瓦座Ｂ１等の下地基材に安定した姿勢で載置し、適正な瓦勾配と、整然とした軒先Ｂの葺設が可能な他の平板瓦ＡＡを提供できる。
【００３９】
また、ＡＡ１は他の平板瓦ＡＡの上段に葺設される他の上段の平板瓦である。
【図面の簡単な説明】
【００４０】
【図１】図１は平板瓦の一例を示した平面図
【図２】図２は図１に示した平板瓦の背面図
【図３】図３は図１に示した平板瓦の正面図
【図４】図４は図１に示した平板瓦の底面図
【図５−１】図５−１は図１に示した平板瓦の左側面図
【図５−２】図５−２は図５−１の要部（頭側係止片）の拡大模式図
【図６】図６は図１に示した平板瓦の右側面図
【図７】図７は図１に示した平板瓦の尻側係止片と、頭側係止片との係止関係を示した拡大斜視図
【図８】図８は図１に示した平板瓦の葺設状態を示した縮尺断面図
【図９】図９は図１に示した平板瓦の葺設状態を示した尻側から見た俯瞰図
【図１０】図１０は平板瓦の他の一例を示した平面図
【図１１】図１０は図１０に示した平板瓦の背面図
【図１２】図１２は図１０に示した平板瓦の平面図、
【図１３】図１３は図１０に示した平板瓦の底面図
【図１４−１】図１４−１は図１０に示した平板瓦の左側面図
【図１４−２】図１４−２は図１４−１の要部（頭側係止片）の拡大模式図
【図１５】図１５は図１０に示した平板瓦の右側面図
【図１６】図１６は図１０に示した平板瓦の尻側係止片と、頭側係止片との係止関係を示した拡大斜視図
【図１７】図１７は図１０に示した平板瓦の軒先からの葺設状態を示した縮尺断面図
【符号の説明】
【００４１】
１                瓦本体
１ａ              一方側
１ｂ              他方側
１−１            表面
１−２            裏面
１００            尻側
１００ａ          端部
１０１            頭側
１０２            平坦部本体
１０３            裏面
２                センター膨出瓦部
２ａ              尻側端部
２ｂ              平坦面
２−１            表面
３                フラット瓦部
４                半截膨出瓦部
４ａ              切欠き段部
４０              オーバーラップ
５                半截膨出瓦部
５ａ              切欠き段部
６                アンダーラップ
６ａ              頭側隅角部
６ｂ              水返し突条
８                水返し突条
１０              引掛け
１２              尻側係止片
１２ａ            傾斜面
１２ｂ            平坦面
１２ｃ            平坦面
１２−１          裏面
１２−２          表面
１３              頭側係止片
１３ａ            傾斜面
１３ｃ            平坦面
１３−１          表面
１３−２          裏面
Ａ                平板瓦（下段の平板瓦）
Ａ１              上段の平板瓦
Ａ２              別の上段の平板瓦
ＡＡ              他の平板瓦
ＡＡ１            他の上段の平板瓦
Ｂ                軒先
Ｂ１              瓦座
Ｃ                棧木
Ｒ                屋根地
【図１】
2008101376.tif 000003
【図２】
2008101376.tif 000004
【図３】
2008101376.tif 000005
【図４】
2008101376.tif 000006
【図５−１】
2008101376.tif 000007
【図５−２】
2008101376.tif 000008
【図６】
2008101376.tif 000009
【図７】
2008101376.tif 000010
【図８】
2008101376.tif 000011
【図９】
2008101376.tif 000012
【図１０】
2008101376.tif 000013
【図１１】
2008101376.tif 000014
【図１２】
2008101376.tif 000015
【図１３】
2008101376.tif 000016
【図１４−１】
2008101376.tif 000017
【図１４−２】
2008101376.tif 000018
【図１５】
2008101376.tif 000019
【図１６】
2008101376.tif 000020
【図１７】
2008101376.tif 000021
【手続補正書】
【提出日】平成19年6月6日(2007.6.6)
【手続補正１】
【補正対象書類名】特許請求の範囲
【補正対象項目名】全文
【補正方法】変更
【補正の内容】
【特許請求の範囲】
【請求項１】
耐震・耐風機能を備えた千鳥葺き用の平板瓦の瓦本体を、略センターを山形形状に膨出したセンター膨出瓦部と、このセンター膨出瓦部の両側にフラットに形成した各フラット瓦部と、この各フラット瓦部に隣接し、かつ半截山形形状に膨出した半截膨出瓦部とで構成し、
また該瓦本体の一方側の半截膨出瓦部に隣接してアンダーラップを設け、また該瓦本体の他方側の半截膨出瓦部は、オーバーラップとしての役割を備え、
さらに前記瓦本体の尻側端部の表面に水返し突条を、またその裏面に引掛けをそれぞれ設け、
前記センター膨出瓦部の尻側端部に角錐形状の尻側係止片（尻側係止受入れ片）を、また前記アンダーラップの頭側隅角部に段付形状の頭側係止片（頭係止差込み片）を形成したことを特徴とする耐震・耐風機能を備えた千鳥葺き用の平板瓦であって、
前記センター膨出瓦部の表面と、前記一方側・他方側の半截膨出瓦部の表面とを同じ高さとし、このセンター膨出瓦部の尻側端部に形成した尻側係止片の表面の平坦面と、前記センター膨出瓦部の表面の平坦面とを略面一とする構成としたことを特徴とする耐震・耐風機能を備えた千鳥葺き用の平板瓦。
【請求項２】
請求項１に記載の耐震・耐風機能を備えた千鳥葺き用の平板瓦であって、この千鳥葺き用の平板瓦に設けたセンター膨出瓦部の尻側端部に角錐形状の尻側係止片を、またこのアンダーラップの頭側隅角部に段付形状の頭側係止片を形成した構成であって、
この尻側係止片の裏面を傾斜面とし、この傾斜面は、先端部（開放側）より基部（センター膨出瓦部との連結部）に向って下がりテーパーに形成し、
また前記段付形状の頭側係止片の表面を傾斜面とし、この傾斜面は、段付端面（頭側端部）のやや内方より段付面に向って上がりテーパーに形成したことを特徴とする耐震・耐風機能を備えた千鳥葺き用の平板瓦。
【手続補正２】
【補正対象書類名】明細書
【補正対象項目名】全文
【補正方法】変更
【補正の内容】
【発明の詳細な説明】
【技術分野】
【０００１】
本発明は、地震、台風時において、平板瓦のズレと、飛散を有効に防止できる耐震・耐風機能を備えた千鳥葺き用の平板瓦に関する。
【背景技術】
【０００２】
文献（１）は、特開２００３−０３５０１１の「耐風平板瓦」であり、その要旨は、尻側の係合突起を尻側端部より頭側内方に孤立して設け、頭側受け部をアンダーラップの裏面より突出する構成とし、この係合突起の高さを低く抑えて、成形の簡便化、耐風平板瓦の欠損防止を図ることを意図する。しかし、この文献（１）は、尻側の係合突起が、尻側の係合突起を尻側端部より頭側内方に瓦本体に孤立して突設する構成であり、この係止突起が、葺設時、搬送時、結束時、地震時等における外的な衝撃（衝突、押圧等）で折損（欠損）、破壊、等する可能性があり、その耐衝撃性に改良すべき問題を抱えている。そして、仮に折損等した場合には、葺設時の特徴、又は意図する取扱いの容易化等の特徴が発揮できないこと、無駄となること等の課題が発生する問題がある。
【０００３】
また文献（２）は、特開２００２−０２１２５６の「棧瓦」であり、その要旨は、下段瓦の尻側に受けた突起部を、フランジ（アンダーラップ）の頭側端部に衝止し、また瓦本体とフランジとの段差面であって、その頭側端部に設けた凸部を、この瓦本体のオーバーラップの頭側端部に設けた凹部に係入する構成であり、所謂、この下段瓦の頭側の隅角部の二面に衝止され、かつ上段瓦の頭側とアンダーラップの二方向の移動を規制し、浮上り及び／又はズレ防止を確実に図ること、施工の容易化と、時間の短縮化を図ること等を意図する。しかし、この文献（２）は、尻側突起部に係合手段がなく、斜め上下に葺き設する瓦相互間の連繋を意図しないので、耐震・耐風機能を備えた棧瓦とは考えられない。
【０００４】
また文献（３）は、特開２００４−２４４８２９の「耐風瓦およびその葺き上げ方法」であり、その要旨は、平板部にアンダーラップと、オーバーラップを備えた耐風瓦（瓦）であって、この瓦の尻側端部の裏面は引掛けを、またその表面に鉤状突起部をそれぞれ設け、前記オーバーラップの頭側の裏面に係合差込部を形成し、この瓦を千鳥葺した際に、前記鉤状突起部を係合差込部に係止する構成とし、耐震・耐風機能を備えた千鳥葺き用の耐風瓦を提供することを意図する。しかし、この文献（３）は、瓦の表面の鉤状突起部に、オーバーラップの裏面の係合差込部を差込む構成であり、瓦の裏面に設けた係合差込部を探しながら、部の表面に鉤状突起部を差込む作業は、大変であり、かつその葺設時間を要する（葺設に手間と要する）。
【０００５】
【特許文献１】特開２００３−０３５０１１
【特許文献２】特開２００２−０２１２５６
【特許文献３】特開２００４−２４４８２９
【発明の開示】
【発明が解決しようとする課題】
【０００６】
前述した如く、文献（１）〜文献（３）は、それぞれ前述した構成を採用することから、その意図する特徴は達成できるが、一義的な内容に留まる。従って、前述した課題を抱えている。
【０００７】
上記に鑑み、本発明は、下記の特徴を達成することを意図する。
「１」  平板瓦の表面（流表面）に山形形状の一条〜数条の膨出瓦部（膨出帯形状）を有するタイプにおいては、尻側係止片を、センター膨出瓦部の尻側端部から延設して形成する構成とし、この尻側係止片及び／又はセンター膨出瓦部等の耐衝撃性の向上を図る。
「２」  頭側係止片の裏面を、アンダーラップ裏面より一段下げて形成すれば、尻側係止片の突出寸法を低く成形できること、葺設時の差込の容易化、また結束等の積層時の上側の平板瓦との干渉回避を図ること、又は尻側係止片を肉厚に形成することが可能となり、破損回避等を図ること等を意図する。
「３」  尻側係止片の裏面を、下がりテーパー形状の傾斜面に、また頭側係止片の表面を、上がりテーパー形状の傾斜面にする構成であり、頭側係止片の差込み作業の容易化、屋根葺き時間の短縮化等を図ること、また平板瓦の型抜きの容易化に寄与すること等を意図する。
「４」  平板瓦の表面にセンター膨出瓦部を山形形状に膨出し、また半截膨出瓦部を半截山形形状に膨出し、さらに尻側係止片を角錐形状に突出した構成であって、この平板瓦を全体視した場合に、多数の傾斜面を備えた（多面体の）平板瓦を形成し、この多面体がもつ美的な特性と、反射特性を発揮できる構成を提供する。
「５」  頭側係止片の裏面を、瓦本体の裏面と、略面一に形成することで、軒先の瓦座に、均一に設置できるので、軒先において、その瓦座等の下地基材に安定した姿勢で載置し、適正な瓦勾配と、整然とした軒先の葺設が可能な平板瓦を提供する。
【課題を解決するための手段】
【０００８】
請求項１の発明は、前述の「１」、「２」、「４」の特徴を発揮できる平板瓦を提供することを意図する。またこの尻側係止片の表面の平坦面と、センター膨出瓦部の表面の平坦面を略面一とする。この面一の構造とすることで、葺設の容易化、製作の容易化、取扱いの容易化等に役立つことを意図する。
【０００９】
請求項１は、耐震・耐風機能を備えた千鳥葺き用の平板瓦の瓦本体を、略センターを山形形状に膨出したセンター膨出瓦部と、このセンター膨出瓦部の両側にフラットに形成した各フラット瓦部と、この各フラット瓦部に隣接し、かつ半截山形形状に膨出した半截膨出瓦部とで構成し、
また該瓦本体の一方側の半截膨出瓦部に隣接してアンダーラップを設け、また該瓦本体の他方側の半截膨出瓦部は、オーバーラップとしての役割を備え、
さらに前記瓦本体の尻側端部の表面に水返し突条を、またその裏面に引掛けをそれぞれ
設け、
前記センター膨出瓦部の尻側端部に角錐形状の尻側係止片（尻側係止受入れ片）を、また前記アンダーラップの頭側隅角部に段付形状の頭側係止片（頭係止差込み片）を形成したことを特徴とする耐震・耐風機能を備えた千鳥葺き用の平板瓦であって、
前記センター膨出瓦部の表面と、前記一方側・他方側の半截膨出瓦部の表面とを同じとし、そして、このセンター膨出瓦部の尻側端部に形成した尻側係止片の表面の平坦面と、前記センター膨出瓦部の表面の平坦面とを略面一とする構成としたことを特徴とする耐震・耐風機能を備えた千鳥葺き用の平板瓦である。
【００１０】
【００１１】
【００１２】
【００１３】
【００１４】
【００１５】
【００１６】
請求項２の発明は、前述の「３」の特徴を発揮できる平板瓦を提供することを意図する。
【００１７】
請求項２は、請求項１に記載の耐震・耐風機能を備えた千鳥葺き用の平板瓦であって、この千鳥葺き用の平板瓦に設けたセンター膨出瓦部の尻側端部に角錐形状の尻側係止片を、またこのアンダーラップの頭側隅角部に段付形状の頭側係止片を形成した構成であって、
この尻側係止片の裏面を傾斜面とし、この傾斜面は、先端部（開放側）より基部（センター膨出瓦部との連結部）に向って下がりテーパーに形成し、
また前記段付形状の頭側係止片の表面を傾斜面とし、この傾斜面は、段付端面（頭側端部）のやや内方より段付面に向って上がりテーパーに形成したことを特徴とする耐震・耐風機能を備えた千鳥葺き用の平板瓦である。
【発明の効果】
【００１８】
請求項１の発明は、耐震・耐風機能を備えた千鳥葺き用の平板瓦の瓦本体を、略センターを山形形状に膨出したセンター膨出瓦部と、センター膨出瓦部の両側にフラットに形成した各フラット瓦部と、各フラット瓦部に隣接し、かつ半截山形形状に膨出した半截膨出瓦部とで構成し、
また瓦本体の一方側の半截膨出瓦部に隣接してアンダーラップを設け、また瓦本体の他方側の半截膨出瓦部は、オーバーラップとしての役割を備え、
さらに瓦本体の尻側端部の表面に水返し突条を、また裏面に引掛けをそれぞれ設け、
センター膨出瓦部の尻側端部に角錐形状の尻側係止片（尻側係止受入れ片）を、またアンダーラップの頭側隅角部に段付形状の頭側係止片（頭係止差込み片）を形成した耐震・耐風機能を備えた千鳥葺き用の平板瓦であって、
センター膨出瓦部の表面と、一方側・他方側の半截膨出瓦部の表面とを同じとし、そして、センター膨出瓦部の尻側端部に形成した尻側係止片の表面の平坦面と、センター膨出瓦部の表面の平坦面とを略面一とする構成としたことを特徴とする耐震・耐風機能を備えた千鳥葺き用の平板瓦である。
【００１９】
従って、請求項１は、下記の特徴がある。
「１」  平板瓦の表面（流表面）に山形形状の一条〜数条の膨出瓦部（膨出帯形状）を有するタイプにおいては、尻側係止片を、センター膨出瓦部の尻側端部から延設して形成する構成とし、この尻側係止片及び／又はセンター膨出瓦部等の耐衝撃性の向上が図れる。
「２」  頭側係止片の裏面を、アンダーラップ裏面より一段下げて形成すれば、尻側係止片の突出寸法を低く成形できること、葺設時の差込の容易化、また結束等の積層時の上側の平板瓦との干渉回避が図れること、又は尻側係止片を肉厚に形成することが可能となり、破損回避等が図れる。
「４」  平板瓦の表面にセンター膨出瓦部を山形形状に膨出し、また半截膨出瓦部を半截山形形状に膨出し、さらに尻側係止片を角錐形状に突出した構成であって、この平板瓦を全体視した場合に、多数の傾斜面を備えた（多面体の）平板瓦を形成し、この多面体がもつ美的な特性と、反射特性を発揮できる。
【００２０】
またこの請求項１は、尻側係止片の表面の平坦面と、センター膨出瓦部の表面の平坦面を略面一とする。この面一の構造とすることで、葺設の容易化、製作の容易化、取扱いの容易化等に役立つこと等の特徴を有する。
【００２１】
【００２２】
【００２３】
【００２４】
【００２５】
【００２６】
請求項２の発明は、請求項１に記載の耐震・耐風機能を備えた千鳥葺き用の平板瓦であって、千鳥葺き用の平板瓦に設けたセンター膨出瓦部の尻側端部に角錐形状の尻側係止片を、またアンダーラップの頭側隅角部に段付形状の頭側係止片を形成した構成であって、  尻側係止片の裏面を傾斜面とし、傾斜面は、先端部（開放側）より基部（センター膨出瓦部との連結部）に向って下がりテーパーに形成し、
また段付形状の頭側係止片の表面を傾斜面とし、傾斜面は、段付端面（頭側端部）のやや内方より段付面に向って上がりテーパーに形成した耐震・耐風機能を備えた千鳥葺き用の平板瓦である。
【００２７】
従って、請求項２は、下記の特徴がある。
「３」  尻側係止片の裏面を、下がりテーパー形状の傾斜面に、また頭側係止片の表面を、上がりテーパー形状の傾斜面にする構成であり、頭側係止片の差込み作業の容易化、屋根葺き時間の短縮化等が図れる。また平板瓦の型抜きの容易化に寄与できる。
【発明を実施するための最良の形態】
【００２８】
本発明の一例を説明する。
【００２９】
図面の説明をすると、図１は平板瓦の一例を示した平面図、図２は図１に示した平板瓦の背面図、図３は図１に示した平板瓦の正面図、図４は図１に示した平板瓦の底面図、図５−１は図１に示した平板瓦の左側面図、図５−２は図５−１の要部（頭側係止片）の拡大模式図、図６は図１に示した平板瓦の右側面図、図７は図１に示した平板瓦の尻側係止片と、頭側係止片との係止関係を示した拡大斜視図、図８は図１に示した平板瓦の葺設状態を示した縮尺断面図、図９は図１に示した平板瓦の葺設状態を示した尻側から見た俯瞰図である。また図１０は平板瓦の他の一例を示した平面図、図１１は図１０に示した平板瓦の背面図、図１２は図１０に示した平板瓦の平面図、図１３は図１０に示した平板瓦の底面図、図１４−１は図１０に示した平板瓦の左側面図、図１４−２は図１４−１の要部（頭側係止片）の拡大模式図、図１５は図１０に示した平板瓦の右側面図、図１６は図１０に示した平板瓦の尻側係止片と、頭側係止片との係止関係を示した拡大斜視図、図１７は図１０に示した平板瓦の軒先からの葺設状態を示した縮尺断面図である。
【００３０】
図１〜図９に示した平板瓦の一例を説明すると、１は千鳥葺き用の平板瓦Ａの瓦本体で、この瓦本体１は、略センターを山形形状に膨出したセンター膨出瓦部２と、センター膨出瓦部２の両側にフラットに形成した各フラット瓦部３、３（以下、対の場合には、一方を表示する）と、各フラット瓦部３に隣接し、かつ半截山形形状に膨出した半截膨出瓦部４、５とで構成する。
【００３１】
またこの瓦本体１の一方側１ａの半截膨出瓦部５に隣接して水返し突条６ｂを有するアンダーラップ６を設ける。また瓦本体１の他方側１ｂの半截膨出瓦部４は、オーバーラップ４０としての役割を備える構成である。
【００３２】
さらに瓦本体１の尻側１００端部１００ａの表面１−１に水返し突条８を、またその裏面１−２に引掛け１０をそれぞれ設ける。
【００３３】
そして、前記センター膨出瓦部２の尻側端部２ａに角錐形状の尻側係止片１２（尻側係止受入れ片）を、またアンダーラップ６の頭側隅角部６ａに段付形状の頭側係止片１３（頭係止差込み片）を形成する構成である。この角錐形状の尻側係止片１２の裏面１２−１は傾斜面１２ａであり、この傾斜面１２ａは、先端部（開放側）より基部（センター膨出瓦部の連結部）に向って下がりテーパーに形成する。また段付形状の頭側係止片１３の表面１３−１を傾斜面１３ａとし、傾斜面１３ａは、段付端面（頭側端部）のやや内方（尻側１００に向った方向）より段付面に向って上がりテーパーに形状する。このテーパー形状の構造とすることで、葺設の容易化、製作の容易化、僅かであるが軽量化等に役立つものと考えられる（以下同じ）。さらにこの尻側係止片１２の表面１２−２の平坦面１２ｂと、センター膨出瓦部２の表面２−１の平坦面２ｂとを略面一とする。この面一の構造とすることで、葺設の容易化、製作の容易化、取扱いの容易化等に役立つものと考えられる（以下同じ）。
【００３４】
図中１０１は平板瓦１の頭側、１０２は平板瓦１の平坦部本体を示しており、この平坦部本体１０２は、瓦本体１のセンター膨出瓦部２及び／又は半截膨出瓦部４、５の尻側端部２ａと、この瓦本体１の尻側１００の端部１００ａの表面に設けた水返し突条８との間に形成される箇所を示す。
【００３５】
このような構成を採用する千鳥葺き用の平板瓦Ａの尻側係止片１２と、頭側係止片１３の係止関係を説明しながら、図７、図８を参照し、その葺設状態を説明する。屋根地Ｒに棧木Ｃを介して下段の平板瓦Ａを葺設する。この下段の平板瓦Ａに対して、上段の平板瓦Ａ１を葺設する時に、この下段の平板瓦Ａの尻側係止片１２に上段の平板瓦Ａ１の頭側係止片１３を差込む。そして、この差込みの際に、尻側係止片１２の傾斜面１２ａと、頭側係止片１３の傾斜面１３ａとのスライド差込みで、この上段の平板瓦Ａ１を確実かつ簡易に葺設できる（千鳥葺きできる）。この葺設で、下段の平板瓦Ａの平坦部本体１０２の（オーバーラップ側）上に、上段の平板瓦Ａ１の頭側１０１が重ね葺きされるが、その重ね寸法（図９に矢印「Ｌ」で示す）は、頭側１０１から尻側１００に向った流れ方向の所定の長さとなる（重ね葺き寸法）。また上段の平板瓦Ａ１の頭側１０１が、下段の平板瓦Ａの半截膨出瓦部４の切欠き段部４ａに衝止される。
【００３６】
尚、別の上段の平板瓦Ａ２の場合は、この別の上段の平板瓦Ａ２の頭側１０１が、下段の平板瓦Ａのアンダーラップ側の上であって、この平坦部本体１０２の上に重ね葺きされるが、その重ね寸法（図９に矢印「Ｌ１」で示す）は、頭側１０１から尻側１００に向った流れ方向の所定の長さとなる（重ね葺き寸法）。そして、この別の上段の平板瓦Ａ２の頭側１０１は、下段の平板瓦Ａの半截膨出瓦部５の切欠き段部５ａに衝止される。また上段の平板瓦Ａ１と、別の上段の平板瓦Ａ２との葺合せは、上段の平板瓦Ａ１のアンダーラップ６に、別の上段の平板瓦Ａ２のオーバーラップ４０が被せ葺きされる。
【００３７】
また図１０〜図１７に示した他の平板瓦の一例を説明すると、この他の平板瓦ＡＡは、基本的には前述の平板瓦Ａと同じであり、その相違点を説明する。この例では、センター膨出瓦部２の尻側端部２ａに角錐形状の尻側係止片１２（尻側係止受入れ片）を、またアンダーラップ６の頭側隅角部６ａに段付形状の頭側係止片１３（頭係止差込み片）を形成する構成である。この角錐形状の尻側係止片１２の裏面１２−１は平坦面１２ｃであり、また段付形状の頭側係止片１３の表面１３−１を平坦面１３ｃとする。さらにこの尻側係止片１２の表面１２−２の平坦面１２ｂは、センター膨出瓦部２の表面２−１の平坦面２ｂより僅かに高くすることが望ましいが、必ずしも限定されない。尚、前記平坦面１２ｃ、１３ｃは、前述の例の如く、傾斜面１２ａ、１３ａの場合もあり得る。
【００３８】
そして、この他の平板瓦ＡＡの葺設は、前述の例に準ず。この例の如く、頭側係止片１３の裏面１３−２が、アンダーラップ６の裏面１０３と面一になることは、軒先Ｂの瓦座Ｂ１に、均一に設置できるので、軒先Ｂにおいて、その瓦座Ｂ１等の下地基材に安定した姿勢で載置し、適正な瓦勾配と、整然とした軒先Ｂの葺設が可能な他の平板瓦ＡＡを提供できる。
【００３９】
また、ＡＡ１は他の平板瓦ＡＡの上段に葺設される他の上段の平板瓦である。
【図面の簡単な説明】
【００４０】
【図１】図１は平板瓦の一例を示した平面図
【図２】図２は図１に示した平板瓦の背面図
【図３】図３は図１に示した平板瓦の正面図
【図４】図４は図１に示した平板瓦の底面図
【図５−１】図５−１は図１に示した平板瓦の左側面図
【図５−２】図５−２は図５−１の要部（頭側係止片）の拡大模式図
【図６】図６は図１に示した平板瓦の右側面図
【図７】図７は図１に示した平板瓦の尻側係止片と、頭側係止片との係止関係を示した拡大斜視図
【図８】図８は図１に示した平板瓦の葺設状態を示した縮尺断面図
【図９】図９は図１に示した平板瓦の葺設状態を示した尻側から見た俯瞰図
【図１０】図１０は平板瓦の他の一例を示した平面図
【図１１】図１０は図１０に示した平板瓦の背面図
【図１２】図１２は図１０に示した平板瓦の平面図、
【図１３】図１３は図１０に示した平板瓦の底面図
【図１４−１】図１４−１は図１０に示した平板瓦の左側面図
【図１４−２】図１４−２は図１４−１の要部（頭側係止片）の拡大模式図
【図１５】図１５は図１０に示した平板瓦の右側面図
【図１６】図１６は図１０に示した平板瓦の尻側係止片と、頭側係止片との係止関係を示した拡大斜視図
【図１７】図１７は図１０に示した平板瓦の軒先からの葺設状態を示した縮尺断面図
【符号の説明】
【００４１】
１                瓦本体
１ａ              一方側
１ｂ              他方側
１−１            表面
１−２            裏面
１００            尻側
１００ａ          端部
１０１            頭側
１０２            平坦部本体
１０３            裏面
２                センター膨出瓦部
２ａ              尻側端部
２ｂ              平坦面
２−１            表面
３                フラット瓦部
４                半截膨出瓦部
４ａ              切欠き段部
４０              オーバーラップ
５                半截膨出瓦部
５ａ              切欠き段部
６                アンダーラップ
６ａ              頭側隅角部
６ｂ              水返し突条
８                水返し突条
１０              引掛け
１２              尻側係止片
１２ａ            傾斜面
１２ｂ            平坦面
１２ｃ            平坦面
１２−１          裏面
１２−２          表面
１３              頭側係止片
１３ａ            傾斜面
１３ｃ            平坦面
１３−１          表面
１３−２          裏面
Ａ                平板瓦（下段の平板瓦）
Ａ１              上段の平板瓦
Ａ２              別の上段の平板瓦
ＡＡ              他の平板瓦
ＡＡ１            他の上段の平板瓦
Ｂ                軒先
Ｂ１              瓦座
Ｃ                棧木
Ｒ                屋根地